(57)【要約】【課題】食器洗浄機本体にドアの取付け、取外しを行う際に、引張ばねによる付勢力に逆らって作業しなければならないため、固定プレートで手を挟んだりするおそれがある。ドア交換や組立がスムーズに行うことができる食器洗浄機を提供することを目的とする。【解決手段】食器を載置した食器かごを収納する洗浄槽を内部に有する食器洗浄機本体の開口部に設けられたドアが、引張ばねによりドアが閉まる方向に付勢力を与えられた食器洗浄機において、引張ばねのフック部開口寸法が、引張ばねのフック部の装着時の係止部寸法より小さくする。【選択図】　図２
2004089324.tif 000002
【特許請求の範囲】
【請求項１】
食器を載置した食器かごを収納する洗浄槽を内部に有する食器洗浄機本体の開口部に設けられたドアが、引張ばねによりドアが閉まる方向に付勢力を与えられた食器洗浄機において、引張ばねのフック部開口寸法が、引張ばねのフック部の装着時の係止部寸法より小さいことを特徴とする食器洗浄機。
【請求項２】
引張ばねのフック部の開口寸法が、引張ばねを取付ける差込部寸法より大きいことを特徴とする請求項１に記載の食器洗浄機。
【請求項３】
食器洗浄機のドアに閉まる方向に付勢力を与える引張ばねのフック部を取り付ける係止部寸法と、その係止部の溝の底部から入口部までの寸法とを合わせた寸法が、引張ばねのフック部内側寸法より大きいことを特徴とする請求項１または請求項２に記載の食器洗浄機。
【請求項４】
食器洗浄機本体とドアを連結するヒンジ機構部において、引張ばねのフック部を取り付ける係止手段を備えることを特徴とする請求項１から請求項３に記載の食器洗浄機。
【請求項５】
引張ばねのフック部を取り付ける係止部が洗浄槽もしくは外装部材に構成されることを特徴とする請求項１から請求項３に記載の食器洗浄機。
【発明の詳細な説明】
【０００１】
【発明の属する分野】
本発明は、食器を載置した食器かごを収納する洗浄槽を内部に食器洗浄機に設けられたドアに付勢力を働かせる引張ばねの取付構造に関するものである。
【０００２】
【従来の技術】
従来の食器洗浄機の場合について図面を用い以下に説明する。
図８は従来の食器洗浄機の構成を示す図である。但し、説明の簡略化のため、食器洗浄機に内蔵される洗浄槽等の部材に関する図を省略する。食器洗浄機は、内部に洗浄槽を有し、外側には外装板１００と、操作を行う操作パネル１０１がある。また、食器洗浄機前面の開口部には、上ドア１０２、下ドア１０３が各ドアの下方に設けられたヒンジ機構部によって連結され、取り付けられている。
【０００３】
ここでは下ドア１０３の場合について説明する。図９において洗浄槽１０４に支持プレート１０５が一体もしくは、ねじ止めされている。この支持プレート１０５には、固定プレート１０６が回転中心軸部１０７で接合され、固定プレート１０６が回動するようになっており、食器洗浄機本体側にヒンジ機構が構成される。下ドア１０３は、固定プレート１０６と係り合せることにより、取り付けられ開閉ができるようになっている。
【０００４】
支持プレート１０５と固定プレート１０６との間に引張ばね１０８を構成することにより、下ドア１０３が閉まる方向に付勢力を働かせることができる。このとき引張ばね１０８は、支持プレート１０５と固定プレート１０６や貫通穴や切欠き、曲げなどの係止部Ａ１０９、係止部Ｂ１１０に取付けられる。
引張ばねにより下ドア１０２には付勢力が働き、下ドア１０２の開閉操作を軽くしたり、急激に開いたり閉まったりすることを防止することができる。
【０００５】
【発明が解決しようとする課題】
従来、引張ばね１０８のフック部形状は図１０に示すようにフック部Ａ１１１の開口寸法１１２が大きいＵ字型などの形状をしている場合、組立時やメンテナンス時において、下ドア１０３を取付け・取外しを行う際に引張ばね１０８の片側のフック部Ｂ１１３を係止部Ｂ１１０から外した状態で、もう一方のフック部Ａ１１１が係止部Ａ１０９から外れてしまい、再度フック部Ａ１１１も付け直す必要がある。このとき、フック部Ａ１１１が係止部Ａ１０９の所定の位置以外に間違えて取付けられたりすることが起こる可能性がある。
【０００６】
【課題を解決するための手段】
前記課題を解決するために提供する本願第一の発明に係る食器洗浄機は、引張ばねのフック部開口寸法が、引張ばねのフック部の装着時の係止部寸法より小さいことにより、引張ばねの一端のフック部を引張ばねのフック部を取り付ける係止部に取り付けた後、引張ばねの他端のフック部を上方にあるもう一方の係止部に取付けるまでの間に引張ばねから手を離した状態においても、引張ばねの一端のフック部が係止部から抜けることがない。
ドア交換や組立において、食器洗浄機本体にドアの取付け、取外しを行う際には、引張ばねによる付勢力が働いているためその力に逆らって作業しなければならないため、手を挟んだりするおそれがあり、引張ばねを上方にある係止部から一時的に外しても、引張ばねの一端のフック部が係止部から抜けることがないためドアの交換や組立が簡単に行うことができる。
【０００７】
前記課題を解決するために提供する本願第二の発明に係る食器洗浄機は、引張ばねのフック部の開口寸法が、引張ばねを取付ける差込部寸法より大きいことにより、引張ばねのフックが装着時には外れないが、引張ばねを取付けるときには容易に作業ができる。
【０００８】
前記課題を解決するために提供する本願第三の発明に係る食器洗浄機は、引張ばねのフック部を取り付ける係止部寸法と、その係止部の溝の底部から入口部までの寸法とを合わせた寸法が、引張ばねのフック部内側寸法より大きいことにより、引張ばねが係止部の溝から外れないことにより、ドア交換や組立時に引張ばねのフック部位置を気にすることなく、作業が楽に行うことができる。
【０００９】
前記課題を解決するために提供する本願第四の発明に係る食器洗浄機は、食器洗浄機本体とドアを連結するヒンジ機構部に引張ばねのフック部を取り付ける係止手段を備えることにより、部品点数が少なくてすむ。
【００１０】
前記課題を解決するために提供する本願第五の発明に係る食器洗浄機は、引張ばねのフック部を取り付ける係止部が洗浄槽もしくは外装部材に構成されたことにより、部品点数が少なくてすむ。
【００１１】
【発明の実施の形態】
以下に本発明に係るドアに付勢力を働かせる引張ばねの取付構造において、食器洗浄機の一実施の形態について図面を参照して説明する。図１は本発明に係る食器洗浄機の斜視図である。
図１に示すように２枚ドアを構成する上ドア１と下ドア２と本体３とは各ドアの下方に設けられたヒンジ機構部４によって連結されている。
ここでは下ドア２の場合について説明する。図２において洗浄槽５に支持プレート６が一体もしくは、ねじ止めされている。この支持プレート６には、固定プレート７が回転中心軸部８で接合され、固定プレート７が回動するようになっており、食器洗浄機本体側にヒンジ機構４が構成される。
下ドア２は固定プレート７と係合させることにより、下ドア２と食器洗浄機本体との連結ができ、回転中心軸８にて下ドア２の開閉が可能になる。
【００１２】
下ドア２が閉まる方向に付勢力を働かせる引張ばね９は支持プレート６と固定プレート７との間に構成される。引張ばね９の取付け時には、まず引張ばね９の一端のフック部Ａ１０は支持プレート６側の係止部Ａ１１に取り付け、次に引張ばね９の他端のフック部Ｂ１２は上方にある固定プレート７側の係止部Ｂ１３に取付けられる。
【００１３】
このとき、図３のように引張ばね９の一端のフック部Ａ１０の開口寸法１４が、支持プレート６の係止部Ａ１１の寸法Ａ１５が小さくなるようになっている。以上のような構造により、図４のように引張ばね９の一端のフック部Ａ１０は支持プレート６側の係止部Ａ１１に取り付けた後、引張ばね９の他端のフック部Ｂ１２を上方にある固定プレート７側の係止部Ｂ１３に取付けるまでの間に引張ばね９から手を離した状態においても、引張ばね９の一端のフック部Ａ１０が支持プレート６の係止部Ａ１１から抜けることがない。
このとき、引張ばね９が倒れ込まないように引張ばね９を支える支持部を設けることにより作業がしやすくなる。
【００１４】
下ドア２交換時や組立時において、下ドア２と固定プレート７を係合させる、すなわち食器洗浄機本体に下ドア２の取付け、取外しを行う際には、引張ばね９による付勢力が働いているためその力に逆らって作業しなければならないため、固定プレート７で手を挟んだりするおそれがある。そのため、引張ばね９を上方にある固定プレート７側の係止部Ｂ１３から一時的に外すことがある。
【００１５】
本発明による構造を持つことにより、引張ばね９の一端のフック部Ａ１０は支持プレート６側の係止部Ａ１１に取り付けた後、引張ばね９の他端のフック部Ｂ１２を上方にある固定プレート７側の係止部Ｂ１３に取付けるまでに引張ばね９から手を離した状態においても、引張ばね９の一端のフック部Ａ１０が支持プレート６の係止部Ａ１１から抜けることがない。
【００１６】
ここで、引張ばね９の取付方法について説明する。図５（ａ）に示すように引張ばね９のフック部Ａ１０を支持プレート６の差込部２４に引っ掛ける。このとき、引張ばね９のフック部Ａ１０の開口寸法１４は、支持プレート６の差込部２４の寸法Ｂ２３より大きくなっているため、図５（ｂ）のように引張ばね９のフック部Ａ１０を差し込むことができる。
図５（ｂ）において、引張ばね９を矢印Ａ２５方向に回転させ、から図５（ｃ）の状態となる。さらに矢印Ｂ２６方向に回転させることにより、実使用状態の図５（ｄ）におさまる。
すなわち、取付け時には引張ばね９のフック部Ａ１０が簡単に取り付けられ、実使用の状態においては、引張ばね９のフック部Ａ１０が支持プレート６の係止部Ａ１１から外れない。
【００１７】
さらに、図６に示すように支持プレート６に配設された引張ばね９の係止部Ａ１１の溝１６の底部１７から入口部１８までの寸法１９と係止部Ａ１１の寸法Ａ１５の合計寸法２０が、引張ばね９のフック部内寸２１より大きいことにより、引張ばね９の装着時や他端側のフック部が外れた状態においても、引張ばね９のフック部Ａ１０がずれたり外側に外れたりすることがない。
【００１８】
引張ばね９のフック部Ａ１０の外れ防止構造を支持プレート６にて構成できない場合は、図７のように引張ばね係止部Ａ１１の溝１６を覆うように、洗浄槽等の他部材からの突出形状部２２を配設することにより引張ばね９のフック部Ａ１０の外れ防止構造となる。
【００１９】
また、引張ばねのフック部を引っ掛ける係止部は、必ずしも支持プレートに構成されなくてもよい。例えば、洗浄槽等の部材に一体に成形された係止部の場合、支持プレートに係止部を構成する必要がなくなり、支持プレートが小さくなり部材費用が安価にできる。
【００２０】
【発明の効果】
以上に説明した様に、本発明に係る食器洗浄機によれば、ドア交換時や組立時において、食器洗浄機本体にドアの取付け、取外しを行う際に、引張ばねによる付勢力に逆らって作業しなければならないため、固定プレートで手を挟んだりするおそれがあり、引張ばねのフック部の一方を上方にある固定プレート側の係止部から一時的に外すことがある。このとき、引張ばねのフック部の他方が支持プレート側の係止部から外れないため、再度引張ばねのフック部を容易に固定プレート側の係止部に引っ掛けることができる。したがってドア交換や組立がスムーズに行うことができる。
引張ばねを支持プレートに取付ける際には、引張ばねのフック部が容易に取付けできる方向があり、取付けが楽に行え、引張ばねの装着状態においては外れない構造となる。
【図面の簡単な説明】
【図１】本発明に係る食器洗浄機の一実施の形態における構成を示す斜視図である。
【図２】本発明に係る食器洗浄機の引張ばねの取付構造を示す構造図である。
【図３】本発明に係る食器洗浄機の支持プレートと引張ばねの寸法関係を示す図である。
【図４】本発明に係る食器洗浄機の引張ばねのフック部を片側取外した状態を示す図である。
【図５】本発明に係る食器洗浄機の引張ばね取付方法を示す図である。
【図６】本発明に係る食器洗浄機の支持プレートと引張ばねの寸法関係を示す図である。
【図７】本発明に係る食器洗浄機の支持プレートと突出形状部との位置関係を示す図である。
【図８】従来における食器洗浄機の構成を示す斜視図である。
【図９】従来における食器洗浄機の引張ばねの取付構造を示す構造図である。
【図１０】従来における食器洗浄機の引張ばねのフック部を片側取外した状態を示す図である。
【符号の説明】
１．上ドア　　　　　　　　　２．下ドア
３．本体　　　　　　　　　　４．ヒンジ機構部
５．洗浄槽　　　　　　　　　６．支持プレート
７．固定プレート　　　　　　８．回転中心軸
９．引張ばね　　　　　　　１０．フック部Ａ
１１．係止部Ａ　　　　　　　１２．フック部Ｂ
１３．係止部Ｂ　　　　　　　１４．開口寸法
１５．寸法Ａ　　　　　　　　１６．溝
１７．底部　　　　　　　　　１８．入口部
１９．寸法　　　　　　　　　２０．合計寸法
２１．フック部内寸　　　　　２２．突出形状部
２３．寸法Ｂ　　　　　　　　２４．差込部
２５．矢印Ａ　　　　　　　　２６．矢印Ｂ
１００．外装板　　　　　　　１０１．操作パネル
１０２．上ドア　　　　　　　１０３．下ドア
１０４．洗浄槽　　　　　　　１０５．支持プレート
１０６．固定プレート　　　　１０７．回転中心軸
１０８．引張ばね　　　　　　１０９．係止部Ａ
１１０．係止部Ｂ　　　　　　１１１．フック部Ａ
１１２．開口寸法　　　　　　１１３．フック部Ｂ
【図１】
2004089324.tif 000003
【図２】
2004089324.tif 000004
【図３】
2004089324.tif 000005
【図４】
2004089324.tif 000006
【図５】
2004089324.tif 000007
【図６】
2004089324.tif 000008
【図７】
2004089324.tif 000009
【図８】
2004089324.tif 000010
【図９】
2004089324.tif 000011
【図１０】
2004089324.tif 000012